(57)【要約】【課題】映像上のノイズを抑制する試行錯誤を自由に行うことができ映像上の物標等の良好な表示状態の維持と向上を図れる信号処理装置、及び船舶用レーダを提供する。【解決手段】船舶用レーダ１０Ａのアンテナ１０から受信信号の供給を受けて物標の位置等の情報を表示部１７に表示させる信号処理装置１０Ｃには、物標の位置等の確認等に主として用いられるメイン映像を形成する第一の処理系統１２の第一の信号処理部１８及び第一の座標変換相関処理部１９と、メイン映像に対応する映像であって、映像の状態の調整のための調整用映像をメイン映像とは別途形成する第二の処理系統１３の第二の信号処理部２２と第二の座標変換相関処理部２３とを有し、第二の信号処理部２２と第二の座標変換相関処理部２３とを制御することにより調整用映像の形成を調整する制御部１５を備える。【選択図】図１
2017198480.tif 000002
【特許請求の範囲】
【請求項１】
探知信号の発射、及び該探知信号が物標等に反射した反射信号の受信を行うアンテナから、受信した前記反射信号としての受信信号の供給を受け、該受信信号の処理によって前記物標の位置等の情報を表示手段に表示させる映像を形成する信号処理手段を備えた信号処理装置であって、
前記信号処理手段は複数設けられ、
複数の前記信号処理手段は、
前記物標の位置等の確認等に主として用いられるメイン映像を形成する第一の信号処理手段と、
前記メイン映像に対応する映像であって、映像の状態の調整のための調整用映像を前記メイン映像とは別途形成する第二の信号処理手段とを有し、
前記第二の信号処理手段を制御することにより前記調整用映像の形成を調整する調整手段を備えたことを特徴とする信号処理装置。
【請求項２】
前記第一の信号処理手段は、所定の指示があった場合、前記メイン映像を、前記第二の信号処理手段によって調整された前記調整用映像と略同一の映像に変更することを特徴とする請求項１に記載の信号処理装置。
【請求項３】
前記第一の信号処理手段の形成した前記メイン映像、及び前記第二の信号処理手段の形成した前記調整用映像のうち少なくとも何れか一方を所定の期間記録させる記録手段を備え、
前記第一の信号処理手段は、前記記録手段に記録された映像に基づいて前記物標の軌跡を前記メイン映像に表示させることを特徴とする請求項１又は２に記載の信号処理装置。
【請求項４】
第一の信号処理手段において形成された前記メイン映像と、第二の信号処理手段において形成された前記調整用映像とを所定の基準に基づいて対比し、前記メイン映像と前記調整用映像とのうち良好な映像を判別する判定手段を備えたことを特徴とする請求項１乃至３の何れか一つに記載の信号処理装置。
【請求項５】
探知信号の発射、及び該探知信号が物標等に反射した反射信号の受信を行うアンテナから、受信した前記反射信号としての受信信号の供給を受け、該受信信号の処理によって前記物標の位置等の情報を表示手段に表示させる映像を形成する信号処理手順が行われる、信号処理装置における信号処理方法であって、
前記信号処理手順は複数行われ、
複数の前記信号処理手順は、
前記物標の位置等の確認等に主として用いられるメイン映像を形成する第一の信号処理手順と、
前記メイン映像に対応する映像であって、映像の状態の調整のための調整用映像を前記メイン映像とは別途形成する第二の信号処理手順とを有し、
前記第二の信号処理手順を制御することにより前記調整用映像の形成を調整する調整手順を備えたことを特徴とする、信号処理装置における信号処理方法。
【発明の詳細な説明】
【技術分野】
【０００１】
本発明は、船舶等に設けられて、物標等に反射した反射信号を受信してなる受信信号を処理して物標の位置や軌跡を表示する映像を形成する信号処理装置の技術、及び、そのような信号処理装置を応用する技術に関する。
【背景技術】
【０００２】
海洋等を航行する船舶等の各種交通機関等においては、航行の安全確保等の目的を達成するために、各種レーダ等、自らの周囲に存在する船舶や障害物等の位置や移動状態等を検出するための装置が設けられている。例えば、従来は、アンテナと信号処理部とメモリと表示部とを備えた船舶用レーダが知られている（例えば、特許文献１参照）。
【０００３】
この船舶用レーダにおいては、船舶上の見晴らしの良い場所に設置したアンテナから周囲に探知信号を無線送信し、海洋上の他船等、探知対象である物標に対して探知信号が反射して形成された反射信号をアンテナが受信する。アンテナで受信された反射信号である受信信号は信号処理部に送られ、信号処理部で各種の信号処理が行われ、物標の現在（直近の受信信号によって特定される時間のこと。本明細書において同じ。）の位置情報等が特定されたデータが形成される。このデータはメモリに記録され、さらに表示部に送られる。
【０００４】
表示部においては、信号処理部で形成されたデータに基づいて、物標の現在の位置等を視認可能な映像が表示される。なお、表示部には、直近の受信信号に基づくデータに加え、メモリに記録された過去の受信信号に基づくデータも供給される場合もある。このとき、表示部には、過去の受信信号に基づくデータに基づいて、物標の過去の位置情報の軌跡例えば航跡（物標が船舶の場合は「軌跡」を「航跡」と称する。以下本明細書において同じ。）が、現在の物標の位置情報と併せて表示される。
【先行技術文献】
【特許文献】
【０００５】
【特許文献１】特開２００３−４３１３１号公報
【発明の開示】
【発明が解決しようとする課題】
【０００６】
ここで、反射信号は、探知対象としての物標以外の各種物体、例えば海面上の波や雨雲に探知信号が反射することによっても発生する。このような、各種物体への反射信号が受信信号としてアンテナで受信されると、表示部には、この受信信号によって形成されたノイズが物標の映像と共に表示される。このノイズは、物標としての船舶の航跡を表示させる場合のように、過去のデータに基づいて形成された映像において特に顕著に表れる。通常は、船舶用レーダの操作者等が、信号処理部における処理の状態を適宜調整することで、ノイズが映像上に表れることを抑止して、ノイズが少なく物標や物標の航跡が見やすい映像を形成する。
【０００７】
しかし、ノイズの発生源の状態、例えば海面の波の位置や大きさ、あるいは雨雲の発生状態は時間と共に変化する。そのため、ノイズが少ない信号処理部の調整状態や、物標や物標の航跡が見やすい信号処理部の調整状態も時間と共に変化する。そのため、上記特許文献１の船舶用レーダの操作者には、船舶の航行中に信号処理部の調整状態を変化させてよりよい映像を表示させるための試行錯誤を行う欲求が生ずることが多くなる。
【０００８】
しかし、操作者が信号処理部の調整状態を変化させる試行錯誤の過程では、ノイズが増えてしまう場合もある。そのため、上記特許文献１においては、信号処理部の処理の結果、必ずしも映像の状態が改善されないことが想定されるという問題がある。特に、上記特許文献１においては、信号処理部で処理されたデータがメモリに記録されて航跡を表示するために用いられるため、信号処理部の調整状態を変化させた結果ノイズが増えた場合は、増えたノイズがメモリに記録された航跡表示に用いられることになり、長時間に亘って航跡の表示状態に影響を及ぼしうるという問題がある。
【０００９】
本発明は上記課題に鑑みてなされたものであり、映像上のノイズを抑制するための試行錯誤を自由に行うことができると共に映像上の物標等の良好な表示状態の維持と向上を図ることができる信号処理装置、及び船舶用レーダを提供することを課題としている。
【課題を解決するための手段】
【００１０】
かかる課題を解決するために、請求項１に記載の発明は、探知信号の発射、及び該探知信号が物標等に反射した反射信号の受信を行うアンテナから、受信した前記反射信号としての受信信号の供給を受け、該受信信号の処理によって前記物標の位置等の情報を表示手段に表示させる映像を形成する信号処理手段を備えた信号処理装置であって、前記信号処理手段は複数設けられ、複数の前記信号処理手段は、前記物標の位置等の確認等に主として用いられるメイン映像を形成する第一の信号処理手段と、前記メイン映像に対応する映像であって、映像の状態の調整のための調整用映像を前記メイン映像とは別途形成する第二の信号処理手段とを有し、前記第二の信号処理手段を制御することにより前記調整用映像の形成を調整する調整手段を備えたことを特徴とする。
【００１１】
請求項２に記載の発明は、請求項１に記載の構成に加え、前記第一の信号処理手段は、前記第二の信号処理手段によって前記調整用映像の調整が行われている間も前記メイン映像を形成することを特徴とする。
【００１２】
請求項３に記載の発明は、請求項１又は２に記載の構成に加え、前記第一の信号処理手段は、所定の指示があった場合、前記メイン映像を、前記第二の信号処理手段によって調整された前記調整用映像と略同一の映像に変更することを特徴とする。
【００１３】
請求項４に記載の発明は、請求項１乃至３の何れか一つに記載の構成に加え、前記第一の信号処理手段の形成した前記メイン映像、及び前記第二の信号処理手段の形成した前記調整用映像のうち少なくとも何れか一方を所定の期間記録させる記録手段を備え、前記第一の信号処理手段は、前記記録手段に記録された映像に基づいて前記物標の軌跡を前記メイン映像に表示させることを特徴とする。
【００１４】
請求項５に記載の発明は、船舶用レーダであって、船舶に搭載されて使用される、探知信号の発射、及び該探知信号が物標等に反射した反射信号の受信を行うアンテナと、請求項１乃至４の何れか一つに記載の信号処理装置とを備えたことを特徴とする。
【発明の効果】
【００１５】
本発明によれば、映像上の物標の良好な表示状態を維持しつつ、映像上のノイズを抑制するための試行錯誤を自由に行うことができるので、映像上の物標等の表示状態の維持と向上を図ることができる。
【図面の簡単な説明】
【００１６】
【図１】この実施の形態に係る船舶用レーダ及び信号処理装置の全体構成を示す機能ブロック図である。
【図２】同上船舶用レーダ及び信号処理装置の処理手順を示すフローチャートである。
【図３】同上船舶用レーダ及び信号処理装置の表示部における（ａ）ノイズが少なく良好な表示状態を模式的に示す図、（ｂ）ノイズが多い良好ではない表示状態を模式的に示す図、である。
【発明を実施するための形態】
【００１７】
［基本構成］
図１から図３にこの発明の実施の形態を示す。
【００１８】
図１は、この実施の形態に係る船舶用レーダ及び信号処理装置の全体構成を示す機能ブロック図である。
【００１９】
図１に示す、この実施の形態に係る船舶用レーダ１０Ａは、船舶１０Ｂに搭載されて、他の船舶等の物標の探索を行うために使用されるものである。この船舶１０Ｂは、客船、漁船、貨物船、軍艦等、水上又は水中を航行するものならどのようなものでもよい。なお、この実施の形態において、船舶用レーダ１０Ａの探索対象としての主たる物標（図３の（ａ）や（ｂ）の符号３０参照）は他の船舶であるが、例えば鳥群、航空機等、船舶以外の移動可能なもの等であってもよい。
【００２０】
図１に示す通り、この実施の形態に係る船舶用レーダ１０Ａは、アンテナ１０と、信号処理装置１０Ｃとを備えている。信号処理装置１０Ｃは、Ａ／Ｄ変換部１１、第一の処理系統１２、第二の処理系統１３、「調整手段」としての制御部１５、重畳選択部１６を備えている。そして、信号処理装置１０Ｃは、操作部１４、「表示手段」としての表示部１７を含めてレーダ指示機を構成する。
【００２１】
また、第一の処理系統１２は、「第一の信号処理手段」としての第一の信号処理部１８、「第一の信号処理手段」として第一の座標変換相関処理部１９、「記録手段」としての第一の映像用メモリ２０、「記録手段」としての第一の航跡用メモリ２１を備えている。また、第二の処理系統１３は、「第二の信号処理手段」として第二の信号処理部２２、「第二の信号処理手段」として第二の座標変換相関処理部２３、「記録手段」としての第二の映像用メモリ２４、「記録手段」としての第二の航跡用メモリ２５を備えている。
【００２２】
アンテナ１０は、主として船舶１０Ｂに搭載されて使用される。アンテナ１０は、給電部１０１と輻射部１０２と検波・増幅部１０３とを備え、マストの上のような高所に設置される。アンテナ１０は、給電部１０１で生成されたマイクロ波パルス等を輻射部１０２から探知信号として外部に発射すると共に、反射信号を輻射部１０２で受信信号として受信し、検波・増幅部１０３において受信信号を検波し増幅する。
【００２３】
Ａ／Ｄ変換部１１は、アンテナ１０から探知信号や受信信号の供給を受け、この探知信号や受信信号をアナログ信号からディジタル信号に変換し、第一の処理系統１２や第二の処理系統１３に供給する。
【００２４】
第一の処理系統１２は、物標の位置等の確認等に主として用いられるメイン映像を形成するための処理、及びその処理に付随する各種の処理を行う。なお、この「メイン映像」とは、主として物標の位置や軌跡を特定するために用いられる映像のことをいう（本明細書において同じ）。
【００２５】
第二の処理系統１３は、メイン映像に対応する映像であって、映像の状態の調整のための調整用映像を形成するための処理、及びその処理に付随する各種の処理を行う。なお、ここでの「メイン映像に対応する映像」とは、メイン映像と同一ないし略同一の映像状態に調整可能な映像、あるいは、デフォルトの状態（つまり、表示部１７に表示された映像をメイン映像から調整用映像に切り替えたときの調整用映像の初期状態や、表示部１７にメイン映像と並べて調整用映像を表示させたときの調整用映像の初期状態）において、メイン画像と同一ないし略同一の映像状態に調整された映像のことをいう（本明細書において同じ）。
【００２６】
操作部１４は、船舶用レーダ１０Ａの各種構成、例えば第一の信号処理部１８や第二の信号処理部２２の処理の内容や、表示部１７に表示される映像を調整したり切り替えたりするための処理を、操作者（例えば船舶１０Ｂの操船者）が操作するために必要な各種機器、例えばボタン、レバー、回転式つまみ、マウス、タッチパネル等である。
【００２７】
制御部１５は、例えばマイクロコンピュータ、マイクロプロセッサ、ワイヤードロジック、シーケンス制御機器等によって構成される。
【００２８】
制御部１５は、所定の指示（例えば操作者による操作部１４の操作やプログラムの実行等。本明細書において同じ。）に基づいて、所定の処理を行う。具体的には、例えば、制御部１５は、操作者による操作部１４の操作等により、第二の処理系統１３の各構成（例えば第二の信号処理部２２や第二の座標変換相関処理部２３）の形成する調整用映像の映像状態を変化させる調整を行う。また例えば、制御部１５は、所定の指示により、重畳選択部１６を制御して、表示部１７に表示される映像を、第一の信号処理部１８や第一の座標変換相関処理部１９で形成されたメイン映像と、第二の信号処理部２２や第二の座標変換相関処理部２３で形成された調整用映像とで切り替える。また例えば、制御部１５は、所定の指示により、第一の信号処理部１８や第一の座標変換相関処理部１９を、第二の信号処理部２２や第二の座標変換相関処理部２３における調整用映像の調整状態と同一にして、メイン映像の映像状態を調整用映像の映像状態と略同一とする処理を行う。
【００２９】
第一の処理系統１２における第一の信号処理部１８は、Ａ／Ｄ変換部１１でディジタル信号化された受信信号について、メイン映像を形成するための各種処理を行う。具体的には、例えば、探知信号と受信信号の供給を受けて、探知信号の送信から受信信号の受信までに経過した時間のデータ（船舶１０Ｂから物標までの距離を特定するための情報に相当）と、探知信号及び受信信号の送受信方向すなわちアンテナ１０の角度位置（船舶１０Ｂに対する物標の方位を特定するための情報に相当）とに対応付けられている、極座標系に準拠したデータを形成する。このとき、第一の信号処理部１８は供給された探知信号や受信信号のノイズを除去する処理も行う。さらに、例えば、第一の信号処理部１８はバッファ（図示せず）を備え、形成された極座標系に準拠したデータを一時的に記録する。
【００３０】
第一の処理系統１２における第一の座標変換相関処理部１９は、第一の信号処理部１８において形成された極座標系に準拠したデータの座標系を、アドレス制御によって、極座標系から直交座標系に変換する。この座標系の変換と併せて、第一の座標変換相関処理部１９はデータのノイズを除去する処理も行う。
【００３１】
第一の処理系統１２における第一の映像用メモリ２０は、第一の座標変換相関処理部１９で座標系が直交座標系に変換された現在の受信信号に基づくデータを一時的に記録する機能を有する。第一の映像用メモリ２０に記録されたデータは、物標の現在の位置を映像化するために用いられる。
【００３２】
第一の処理系統１２における第一の航跡用メモリ２１は、第一の座標変換相関処理部１９で直交座標に変換された過去の所定時間の受信信号に基づくデータを一時的に記録する機能を有する。この「過去の所定時間」とは、物標の軌跡（例えば他の船舶の航跡）を映像として表示させるために必要な時間をいい、どのような時間であってもよい。また、物標の軌跡を表示すること以外のどのような事項を「過去の所定時間」の基準としてもよい。
【００３３】
第二の処理系統１３における第二の信号処理部２２は、Ａ／Ｄ変換部１１でディジタル信号化された受信信号について、調整用映像を形成するための各種処理を行う。具体的な構成と処理内容は、第一の信号処理部１８と同じである。
【００３４】
第二の処理系統１３における第二の座標変換相関処理部２３は、第二の信号処理部２２において形成された極座標準拠のデータの座標系を、アドレス制御によって、極座標系から直交座標系に変換する。
【００３５】
第二の処理系統１３における第二の映像用メモリ２４は、第二の座標変換相関処理部２３で座標系が直交座標系に変換された現在の受信信号に基づくデータを一時的に記録する機能を有する。
【００３６】
第二の処理系統１３における第二の航跡用メモリ２５は、第二の座標変換相関処理部２３で座標系が直交座標系に変換された過去の所定時間の受信信号に基づくデータを一時的に記録する機能を有する。この「過去の所定時間」は、第一の航跡用メモリ２１に設定された「過去の所定時間」と同じである。ただし、必要に応じ、第一の航跡用メモリ２１と第二の航跡用メモリ２５とで異なる「過去の所定時間」が設定されていてもよい。
【００３７】
重畳選択部１６は、第一の処理系統１２と第二の処理系統１３とにおいて処理された、現在又は過去の受信信号に基づくデータの一方を選択して表示部１７に供給する。なお、この実施の形態では、表示部１７にディスプレイ１７Ａ（図３参照）が１つのみ設けられた構成において以下説明するが、表示部１７にディスプレイ１７Ａ（図３参照）が複数設けられた構成においては、重畳選択部１６は、第一の処理系統１２からのデータと第二の処理系統１３からのデータをそれぞれ表示部１７に供給し、それぞれのデータを異なるディスプレイ１７Ａ（図３参照）に同時に表示させるように構成してもよい。
【００３８】
表示部１７は、第一の処理系統１２や第二の処理系統１３において処理されたデータに基づいて映像を形成する映像形成器と、例えばラスタスキャン方式等のスキャン機能を有するディスプレイ１７Ａ（図３参照）とを備える。表示部１７は、第一の処理系統１２や第二の処理系統１３で処理されたデータに基づいて形成された、物標の現在の位置の情報や航跡の情報等を映像としてディスプレイ１７Ａ（図３参照）上に表示する。
【００３９】
［処理手順１・映像を表示させる手順］
次に、この実施の形態に係る船舶用レーダ１０Ａ及び信号処理装置１０Ｃにおいて、表示部１７に映像を表示させるための処理手順を説明する。
【００４０】
まず、船舶１０Ｂの操船者等、船舶用レーダ１０Ａの操作者は、船舶用レーダ１０Ａの電源スイッチ（図示せず）をオンにする。これにより船舶用レーダ１０Ａはスタンバイ状態となる。この状態で、操作者が送信の操作を行うと船舶用レーダ１０Ａは、アンテナ１０の輻射部１０２から船舶１０Ｂの外側に対して探知信号を発射し、探知信号が物標等に反射した反射信号を輻射部１０２で受信して受信信号を得る。
【００４１】
この受信信号は検波・増幅部１０３で検波・増幅され、探知信号と受信信号とは信号処理装置１０Ｃに供給される。信号処理装置１０ＣのＡ／Ｄ変換部１１においては、アンテナ１０から供給された探知信号と受信信号とがアナログ信号からディジタル信号に変換され、変換された信号は第一の処理系統１２と第二の処理系統１３とに供給される。
【００４２】
第一の処理系統１２においては、Ａ／Ｄ変換部１１から供給された探知信号と受信信号とに基づいて、メイン映像を形成するためのデータの形成が行われる（第一の信号処理手順）。具体的には、第一の信号処理部１８において、探知信号及び受信信号を用いて極座標準拠のデータ（物標の距離と方位を特定するデータ）が形成されると共にこのデータの一時的な記録が行われ、第一の座標変換相関処理部１９において、データの座標系が極座標系から直交座標系に変換され、第一の映像用メモリ２０と第一の航跡用メモリ２１とに直交座標系に変換されたデータが記録される。
【００４３】
第二の処理系統１３においては、Ａ／Ｄ変換部１１から供給された探知信号と受信信号とに基づいて、調整用映像を形成するためのデータの形成が行われる（第二の信号処理手順）。具体的には、第二の信号処理部２２において、探知信号及び受信信号を用いた極座標準拠のデータ（物標の距離と方位を特定するデータ）の形成と一時的な記録が行われ、第二の座標変換相関処理部２３においてデータの座標系が極座標系から直交座標系に変換され、第一の映像用メモリ２４と第一の航跡用メモリ２５とにおいて直交座標系に変換されたデータが記録される。
【００４４】
そして、制御部１５の制御により、重畳選択部１６は、メイン映像、調整用映像のうち一方又は双方を表示部１７に表示させる。
【００４５】
例えば操作者が表示部１７のディスプレイ１７Ａにメイン映像を表示させるための操作を行うと、重畳選択部１６は第一の映像用メモリ２０と第一の航跡用メモリ２１とに記録されたデータを表示部１７に送る制御を行う。表示部１７は、第一の映像用メモリ２０から供給されたデータにより、船舶１０Ｂに対する、物標の現在の距離と方位を特定する映像を形成し、また、第一の航跡用メモリ２１から供給されたデータにより、過去の所定の時間の間に物標が移動した軌跡を特定する映像を形成する。表示部１７は、このように形成された映像を合成してメイン映像を形成する。
【００４６】
上述した通り、この実施の形態において、主たる物標は他の船舶である。そして、図３の（ａ）や（ｂ）に示すように、表示部１７のディスプレイ１７Ａには、メイン映像として、物標３０の現在位置と「軌跡」としての航跡３１とがあわせて表示される。
【００４７】
なお、例えば操作者が表示部１７のディスプレイ１７Ａに調整用映像を表示させるための操作を行うと、重畳選択部１６は第二の映像用メモリ２４と第二の航跡用メモリ２５とに記録されたデータを表示部１７に送る制御を行う。そして、表示部１７は、供給されたデータを用いて、メイン映像の形成の場合と同様の処理により調整用映像を形成してディスプレイ１７Ａに調整用映像が表示される。
【００４８】
［処理手順２・映像の調整の手順（１）］
図２は、この実施の形態に係る船舶用レーダ１０Ａ及び信号処理装置１０Ｃにおける、映像の調整を行うための処理手順を示すフローチャートである。以下、同図のフローチャートに基づいて、この実施の形態に係る船舶用レーダ１０Ａにおける映像の調整を具体的に説明する。
【００４９】
上記［処理手順１］の処理によって表示部１７のディスプレイ１７Ａにメイン映像が表示されているときに、操作者が、より良好な映像を表示させるために映像の調整を行う場合を考える。この場合、操作者は、操作部１４の操作により、信号処理の調整を開始する（ステップＳ１）。なお、制御部１５は、信号処理の調整が開始される前に、第一の処理系統１２と第二の処理系統１３が同一の設定となるように両系統１２，１３の各構成の設定を調整する。
【００５０】
操作者は、操作部１４例えば切替スイッチにより、表示部１７ディスプレイ１７Ａに表示する画像をメイン映像から調整用映像に切り替える。具体的には、操作者が操作部１４を操作することにより、制御部１５が重畳選択部１６を制御し、表示部１７に供給する映像が、第一の映像用メモリ２０及び第一の航跡用メモリ２１に記録された映像から、第二の映像用メモリ２４及び第二の航跡用メモリ２５に記録された映像に切り替えられる（ステップＳ２）。これにより、表示部１７のディスプレイ１７Ａには、調整用映像が、メイン映像に対応する映像として表示される。
【００５１】
操作者は、ディスプレイ１７Ａに表示された調整用映像を見ながら、操作部１４例えばレバーや回転式つまみ等を調整することで、調整用画像の映像状態を変化させる。具体的には、操作者が操作部１４を操作することにより、制御部１５が第二の信号処理部２２と第二の座標変換相関処理部２３との各種設定（例えばフィルタの設定）を変化させることで、第二の映像用メモリ２４や第二の航跡用メモリ２５に記録される映像の状態を変化させる。これにより、ディスプレイ１７Ａに表示される調整用映像の映像状態が変化する（ステップＳ３、調整手順）。
【００５２】
操作者は、調整用映像の調整を行いつつ、適宜、操作部１４例えば切替スイッチを切り替えて、ディスプレイ１７Ａに表示される映像をメイン映像と調整中の調整用映像とを切り替えつつ、メイン映像と調整中の調整用映像とを対比する。即ち、アンテナ１０から信号処理装置１０Ｃに供給される信号は、第一の処理系統１２にも第二の処理系統１３にも供給されており、第二の映像用メモリ２４及び第二の航跡用メモリ２５に記録するデータを調整している最中も、調整前の映像状態のままで第一の映像用メモリ２０及び第一の航跡用メモリ２１にもデータが記録される。そのため、操作者は、メイン映像（調整前の映像）と調整用映像（調整中の映像）とを、切り替えて対比しながらそれぞれディスプレイ１７Ａに表示できる。
【００５３】
操作者は、ディスプレイ１７Ａにメイン映像と調整用映像とをそれぞれ表示させて対比しながら、調整中の調整用映像がメイン映像より良好な映像状態となっているか否かを視認して確認する。
【００５４】
例えば、ディスプレイ１７Ａに表示されたメイン映像が図３の（ｂ）に示すような状態、即ち、他の船舶の現在位置としての物標３０の映像と、物標３０の航跡３１の映像との他に、多数のノイズ３２（例えば海面の波に反射した反射信号や雨雲に反射した反射信号によって形成されたノイズ）が表示された状態で、ディスプレイ１７Ａに表示された調整用映像が図３の（ａ）に示す状態、即ち、物標３０の映像と航跡３１の映像とのみが表示された状態となっている場合は、調整用映像の映像状態は、メイン映像の映像状態よりも良好であると判断できる。逆に、メイン映像が図３の（ａ）の状態であるのに対し、調整用映像が図３の（ｂ）に示す状態となっている場合は、調整用映像の映像状態はメイン映像の映像状態よりも悪いと判断できる。
【００５５】
そして、操作者が、調整用映像の調整を終了させたい場合、操作部１４例えばレバーや回転式つまみ等の調整を停止する。これにより、操作部１４の操作に基づく制御部１５の制御による、第二の信号処理部２２や第二の座標変換相関処理部２３における信号処理調整が終了される（ステップＳ４）。
【００５６】
操作者が、調整された調整用映像の映像状態がメイン映像の映像状態よりも良好であると判断した場合、操作者は、ステップＳ４にて信号処理調整を終了させる。このとき、操作者は、操作部１４を操作し、調整用映像の映像状態をメイン映像に反映させる指令を出す。制御部１５は、この指令を受けると、メイン映像の映像状態を、調整された調整用画像の映像状態と同一又は略同一となるように調整する。
【００５７】
具体的には、第二の処理系統１３の調整状態やデータを第一の処理系統１２に反映させる。例えば、制御部１５が、調整後の第二の信号処理部２２の設定と同一になるように第一の信号処理部１８の設定を変更し、調整後の第二の座標変換相関処理部２３の設定と同一になるように第一の座標変換相関処理部１９の設定を変更することで、調整後の設定を第一の処理系統１２に反映させる（ステップＳ５）。なお、この処理に際し、必要に応じ、制御部１５が、第二の映像用メモリ２４に記録されたデータの全部又は一部を第一の映像用メモリ２０に記録し、第二の航跡用メモリ２５に記録されたデータの全部又は一部を第一の航跡用メモリ２１に記録する（ステップＳ５）処理も行うように構成してもよい。
【００５８】
ステップＳ５の手順が完了したのち、操作者は、操作部１４例えば切替スイッチにより、表示部１７に表示する画像を調整用映像からメイン映像に切り替える。
【００５９】
具体的には、操作部１４の操作により、制御部１５は、重畳選択部１６を制御して、物標３０を表示させるためのデータを、第二の映像用メモリ２４のデータから第一の映像用メモリ２０のデータに切り替える（ステップＳ６）。同様に、制御部１５は、重畳選択部１６を制御して、航跡３１を表示するためのデータを、第二の航跡用メモリ２５のデータから第一の航跡用メモリ２１のデータに切り替える（ステップＳ６）。これにより、表示部１７のディスプレイ１７Ａには、調整前のメイン映像（例えば図３の（ｂ）に示す状態の映像）から、調整用映像と同一の映像状態に調整されたメイン映像（例えば図３の（ａ）に示す状態の映像）に切り替わったメイン映像が表示される。
【００６０】
一方、ステップＳ４の状態において、調整後の調整用映像の映像状態が、元のメイン画像よりも悪いと判断される場合には、操作者は、操作部１４例えば取り消しボタンの操作により、調整された調整用画像の調整状態を取り消す。操作部１４がこのように操作されると、制御部１５の制御により、第二の信号処理部２２や第二の座標変換相関処理部２３の設定は調整前の状態に戻されて、調整用画像は、元のメイン画像と同一の調整状態に戻される。
【００６１】
［処理手順２・映像の調整の手順（２）］
なお、上記［映像の調整の手順（１）］においては、ステップＳ３及びステップＳ４の手順の後、映像状態を比較する機能手段としての判定部（図１に図示せず）により、メイン映像の映像状態と、調整後の調整用映像の映像状態とを対比させることで、ステップＳ５の処理を行う（調整用映像の映像状態をメイン映像に反映させる）処理を行うか否かを自動的に決定する処理や、その決定に基づいて自動的にステップＳ５の処理を行わせることができる。
【００６２】
具体的には、例えば、重畳選択部１６には、例えば受信信号の大きさ（例えば図３の（ａ）や（ｂ）に示す物標３０や航跡３１に示される個々の丸の面積）が所定の大きさ以上なら（あるいは所定の大きさ以下なら）物標３０と判定し、所定の大きさよりも小さければ（あるいは所定の大きさよりも大きければ）ノイズと判定するように設定する。そして、重畳選択部１６は、メイン映像と調整用映像のノイズの数や面積を対比して、ノイズの数の少ない方や、ノイズの面積の小さい方を良好な画像と判定することが考えられる。これにより、メイン映像と調整用映像のどちらが良好な映像かを自動的に判別することが可能となる。
【００６３】
以上示した通り、この実施の形態においては、アンテナ１０から受信した信号により映像を形成する「信号処理手段」は２系統設けられていることにより、それぞれの系統において、他方の系統の映像状態とは別個の状態の映像を形成することができる。そして、第一の処理系統１２において、第一の信号処理部１８と第一の座標変換相関処理部１９とがメイン映像を形成すると共に、第二の処理系統１３において、第二の信号処理部２２と第二の座標変換相関処理部２３とが、メイン映像に対応する映像であって、映像の状態の調整のための調整用映像をメイン映像とは別途形成し、制御部１５が、第二の信号処理部２２や第二の座標変換相関処理部２３を制御することにより調整用映像の形成を調整することにより、メイン映像の映像状態を保持したままで、調整用映像の映像状態を調整することができる。これにより、メイン映像の映像状態を保持しつつ、天候や地理的条件の時々刻々の変化に伴って変化する映像状態がよりよい状態になるように試行錯誤し、より良好なレーダ画面を形成できる可能性を与えることができる。これにより、映像上の物標の良好な表示状態を維持しつつ、映像上のノイズを抑制するための試行錯誤を自由に行うことができるので、映像上の物標３０等の表示状態の維持と向上を図ることができる。
【００６４】
この実施の形態においては、第一の処理系統１２の第一の信号処理部１８と第一の座標変換相関処理部１９とは、第二の処理系統１３の第二の信号処理部２２と第二の座標変換相関処理部２３とによって調整用映像の調整が行われている間もメイン映像を形成することにより、メイン映像の映像状態を最低限度の映像状態として維持確保しつつ、調整用画像を、メイン画像よりも良好な画像を形成するための調整用に用いることができる。これにより、映像上の物標３０等の表示状態の維持と向上を図ることができる。
【００６５】
この実施の形態においては、第一の処理系統１２の第一の信号処理部１８と第一の座標変換相関処理部１９とは、制御部１５の制御による所定の制御があった場合、メイン映像を、第二の処理系統１３の第二の信号処理部２２と第二の座標変換相関処理部２３との調整状態を反映させて、第二の信号処理部２２と第二の座標変換相関処理部２３との調整状態と同一ないし略同一の調整状態とすることにより、調整用映像がメイン映像よりも良好な映像状態に調整された場合には、メイン映像の映像状態を、調整用映像の映像状態と同じ状態に変更し、メイン映像をそれまでよりも良好な映像状態とすることができる。これにより、映像上の物標３０等の表示状態の向上を図ることができる。
【００６６】
この実施の形態においては、第一の処理系統１２の第一の信号処理部１８と第一の座標変換相関処理部１９とにおいて形成したメイン映像を所定の期間記録する第一の映像用メモリ２０及び第一の航跡用メモリ２１を備え、第二の処理系統１３の第二の信号処理部２２と第二の座標変換相関処理部２３とにおいて形成した調整用映像を所定の期間記録する第二の映像用メモリ２４及び第二の航跡用メモリ２５を備えることにより、メイン映像の物標３０と航跡３１、調整用映像の物標３０と航跡３１とをそれぞれ別個に表示させることや、調整用映像の映像状態の調整を行うことが可能となる。また、第一の映像用メモリ２０及び第一の航跡用メモリ２１に記録されたデータに基づいてメイン映像を表示部１７のディスプレイ１７Ａに表示させることにより、調整用映像の調整中であっても、調整の状態とは無関係に、元のメイン映像の物標３０と航跡３１とを表示部１７に表示させて、元の映像上の物標３０や航跡３１の表示状態を維持することができる。また、第二の映像用メモリ２４及び第二の航跡用メモリ２５に記録されたデータに基づいて調整用映像を表示部１７のディスプレイ１７Ａに表示させることにより、メイン映像の映像状態に影響を与えずに調整用映像の物標３０や航跡３１の表示状態を調整し向上させることができる。
【００６７】
この実施の形態においては、重畳選択部１６において、第一の信号処理部１８及び第一の座標変換相関処理部１９において形成されたメイン映像と、第二の信号処理部２２及び第二の座標変換相関処理部２３において形成された調整用映像とを所定の基準に基づいて対比し、メイン映像と調整用映像とのうち良好な映像を判別することにより、メイン映像と調整用映像のどちらが良好な映像かを、所定の基準をもとに自動的に判別することが可能となる。これにより、表示部１７のディスプレイ１７Ａに表示する映像の状態を、操作者の労力を煩わせることなく維持向上させることが可能になる。
【００６８】
この実施の形態においては、船舶１０Ｂに搭載された船舶用レーダ１０Ａにおいて、映像上の物標３０等の表示状態の維持と向上を図ることができる。
【００６９】
なお、この実施の形態においては、メイン映像を形成する第一の処理系統１２と調整用映像を形成する第二の処理系統１３とを設ける構成としたが、これに限定されず、第一の処理系統１２や第二の処理系統１３の一方又は双方を複数設けてメイン映像や調整用映像を複数形成する構成としたり、これらの系統とは別の系統例えば一又は複数の第三の系統（図示せず）を設けて多様な調整を可能とする構成も実現可能である。
【００７０】
この実施の形態においては、第一の処理系統１２側に第一の映像用メモリ２０及び第一の航跡用メモリ２１を設け、第二の処理系統１３側に第二の映像用メモリ２４及び第二の航跡用メモリ２５を設ける構成としたが、これに限定されず、例えば第一の処理系統１２側にのみ第一の映像用メモリ２０及び第一の航跡用メモリ２１を設け、第二の処理系統１３側に第二の映像用メモリ２４や第二の航跡用メモリ２５を設けない構成としてもよいし、第一の処理系統１２側にのみ第一の映像用メモリ２０及び第一の航跡用メモリ２１を設け、第一の処理系統１２と第二の処理系統１３とで共用としてもよい。
【００７１】
この実施の形態においては、第一の座標変換相関処理部１９及び第二の座標変換相関処理部２３において、データの座標系を極座標系から直交座標系に変換する構成としたが、これに限定されず、データの座標系をどのような座標系に変換してもよい。あるいは、第一の座標変換相関処理部１９及び第二の座標変換相関処理部２３を設けず、第一の信号処理部１８や第二の信号処理部２２で形成したデータの座標系をそのまま表示部１７で表示される映像の形成に用いてもよい。
【００７２】
この実施の形態においては、第一の処理系統１２の第一の信号処理部１８と第一の座標変換相関処理部１９とにおいて形成したメイン映像に、第二の処理系統１３の第二の信号処理部２２と第二の座標変換相関処理部２３とにおいて調整した調整用映像の映像状態を反映させる構成としたが、これに限定されず、例えば、調整用画像の調整が完了した後、第一の処理系統１２と第二の処理系統１３とを入れ替えて、調整用映像をそのままメイン映像とする構成としてもよい。
【００７３】
この実施の形態においては、この発明を、船舶１０Ｂに設置された船舶用レーダ１０Ａとして構成したが、これに限定されず、船舶１０Ｂ以外に設置されたレーダ、例えば陸上に設置された漁場監視レーダ等として構成してもよい。
【００７４】
上記実施の形態は本発明の例示であり、本発明が上記実施の形態のみに限定されることを意味するものではないことは、いうまでもない。
【符号の説明】
【００７５】
１０Ａ・・・船舶用レーダ
１０Ｂ・・・信号処理装置
１０Ｃ・・・船舶
１０・・・アンテナ
１５・・・制御部（調整手段）
１６・・・重畳選択部（判定手段）
１７・・・表示部（表示手段）
１８・・・第一の信号処理部（第一の信号処理手段）
１９・・・第一の座標変換相関処理部（第一の信号処理手段）
２０・・・第一の映像用メモリ（記録手段）
２１・・・第一の航跡用メモリ（記録手段）
２２・・・第二の信号処理部（第二の信号処理手段）
２３・・・第二の座標変換相関処理部（第二の信号処理手段）
２４・・・第二の映像用メモリ（記録手段）
２５・・・第二の航跡用メモリ（記録手段）
３０・・・物標
３１・・・航跡（軌跡）
【図１】
2017198480.tif 000003
【図２】
2017198480.tif 000004
【図３】
2017198480.tif 000005